(57)【要約】他の端末装置およびＥＵＴＲＡＮ（Evolved Universal Terrestrial Radio Access Network）と通信する端末装置は、端末装置間の通信のモードとして、前記ＥＵＴＲＡＮの範囲外における端末装置間の通信および前記ＥＵＴＲＡＮの範囲内における端末装置間の通信に使用可能なモード２を設定し、ハンドオーバプロシージャ中に、モード２の端末装置間の通信の受信処理を行う。
2016021585.tif 000002
【特許請求の範囲】
【請求項１】
ソースセルからターゲットセルにハンドオーバするよう構成される端末装置であって、
前記ソースセルにおいて前記ターゲットセルの周波数を示す第１の情報を受信し、前記ターゲットセルにおいて第１の通信に関するシステム情報を受信するよう構成される受信部と、
前記ソースセルから前記ターゲットセルへの前記ハンドオーバに失敗した場合に、前記ターゲットセルにおいて受信した前記システム情報によって示されるリソースプールに含まれるリソースを用いて、前記第１の通信の送信を行うよう構成される送信部と、を備え、
前記第１の通信は、前記端末装置および他の端末装置が互いに直接通信する通信のモードである
端末装置。
【請求項２】
ソースセルからターゲットセルにハンドオーバするよう構成される端末装置に実装される集積回路であって、
前記ソースセルにおいて前記ターゲットセルの周波数を示す第１の情報を受信する機能と、
前記ターゲットセルにおいて第１の通信に関するシステム情報を受信する機能と、
前記ソースセルから前記ターゲットセルへの前記ハンドオーバに失敗した場合に、前記ターゲットセルにおいて受信した前記システム情報によって示されるリソースプールに含まれるリソースを用いて、前記第１の通信の送信を行う機能と、を含む一連の機能を前記端末装置に発揮させ、
前記第１の通信は、前記端末装置および他の端末装置が互いに直接通信する通信のモードである
集積回路。
【請求項３】
ソース基地局装置に対応するソースセルからターゲット基地局装置に対応するターゲットセルにハンドオーバするよう構成される端末装置に用いられる通信方法であって、
前記ターゲット基地局装置によって生成され、前記ソース基地局装置によって転送される前記ターゲットセルの周波数を示す第１の情報を受信し、
前記ターゲットセルにおいて第１の通信に関するシステム情報を受信し、
前記ソースセルから前記ターゲットセルへの前記ハンドオーバに失敗した場合に、前記ターゲットセルから受信した前記システム情報によって示されるリソースプールに含まれるリソースを用いて、前記第１の通信の送信を行い、
前記第１の通信は、前記端末装置および他の端末装置が互いに直接通信する通信のモードである
通信方法。
【発明の詳細な説明】
【技術分野】
【０００１】
本発明は、端末装置、集積回路、および、通信方法に関する。
本願は、２０１４年８月５日に、日本に出願された特願２０１４−１５９３９２号に基づき優先権を主張し、その内容をここに援用する。
【背景技術】
【０００２】
セルラ（cellular）移動通信の無線アクセス方式（Evolved Universal Terrestrial Radio Access : EUTRA）および無線アクセスネットワーク（Evolved Universal Terrestrial Radio Access Network: EUTRAN）が、第三世代パートナーシッププロジェクト（3rd Generation Partnership Project: 3GPP）において検討されている。ＥＵＴＲＡおよびＥＵＴＲＡＮをＬＴＥ（Long Term Evolution）とも称する。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラ通信システムである。単一の基地局装置は複数のセルを管理してもよい。【０００３】
３ＧＰＰにおいて、ＰｒｏＳｅ（Proximity based Services）の検討が行われている。ＰｒｏＳｅは、ＰｒｏＳｅ発見（discovery）とＰｒｏＳｅ通信（communication）とを含む。ＰｒｏＳｅ発見は、端末装置がＥＵＴＲＡを用いて他の端末装置と近接している（in proximity）ことを特定するプロセスである。ＰｒｏＳｅ通信は、２つの端末装置間で確立されたＥＵＴＲＡＮ通信路（communication path）を用いる近接している該２つの端末間の通信である。例えば、該通信路は端末装置間において直接確立されてもよい。【０００４】
ＰｒｏＳｅ発見およびＰｒｏＳｅ通信のそれぞれを、Ｄ２Ｄ（Device to Device）発見およびＤ２Ｄ通信とも称する。ＰｒｏＳｅ発見およびＰｒｏＳｅ通信を総称して、ＰｒｏＳｅとも称する。Ｄ２Ｄ発見およびＤ２Ｄ通信を総称して、Ｄ２Ｄとも称する。通信路をリンク（link）とも称する。【０００５】
非特許文献１において、リソースブロックのサブセットがＤ２Ｄのためにリザーブされること、ネットワークがＤ２Ｄリソースのセットを設定すること、および、端末装置は該設定されたリソースにおいてＤ２Ｄ信号の送信を許可されることが記載されている。
【先行技術文献】
【非特許文献】
【０００６】
【非特許文献１】"D2D for LTE Proximity Services: Overview", R1-132028, 3GPP TSG-RAN WG1 Meeting #73, 20 - 24 May 2013.
【発明の概要】
【発明が解決しようとする課題】
【０００７】
しかしながら、端末装置がＤ２Ｄとセルラ通信を同時に行うことは十分に検討されていない。本発明は、効率的にＤ２Ｄを行うことができる端末装置、該端末装置に実装される集積回路、および、該端末装置に用いられる通信方法を提供することである。
【課題を解決するための手段】
【０００８】
（１）本発明の一態様は、ソースセルからターゲットセルにハンドオーバするよう構成される端末装置であって、前記ソースセルにおいて前記ターゲットセルの周波数を示す第１の情報を受信し、前記ターゲットセルにおいて第１の通信に関するシステム情報を受信するよう構成される受信部と、前記ソースセルから前記ターゲットセルへの前記ハンドオーバに失敗した場合に、前記ターゲットセルにおいて受信した前記システム情報によって示されるリソースプールに含まれるリソースを用いて、前記第１の通信の送信を行うよう構成される送信部と、を備え、前記第１の通信は、前記端末装置および他の端末装置が互いに直接通信する通信のモードである。【０００９】
（２）また、本発明の第２の態様は、ソースセルからターゲットセルにハンドオーバするよう構成される端末装置に実装される集積回路であって、前記ソースセルにおいて前記ターゲットセルの周波数を示す第１の情報を受信する機能と、前記ターゲットセルにおいて第１の通信に関するシステム情報を受信する機能と、前記ソースセルから前記ターゲットセルへの前記ハンドオーバに失敗した場合に、前記ターゲットセルにおいて受信した前記システム情報によって示されるリソースプールに含まれるリソースを用いて、前記第１の通信の送信を行う機能と、を含む一連の機能を前記端末装置に発揮させ、前記第１の通信は、前記端末装置および他の端末装置が互いに直接通信する通信のモードである。【００１０】
（３）また、本発明の第３の態様は、ソース基地局装置に対応するソースセルからターゲット基地局装置に対応するターゲットセルにハンドオーバするよう構成される端末装置に用いられる通信方法であって、前記ターゲット基地局装置によって生成され、前記ソース基地局装置によって転送される前記ターゲットセルの周波数を示す第１の情報を受信し、前記ターゲットセルにおいて第１の通信に関するシステム情報を受信し、前記ソースセルから前記ターゲットセルへの前記ハンドオーバに失敗した場合に、前記ターゲットセルから受信した前記システム情報によって示されるリソースプールに含まれるリソースを用いて、前記第１の通信の送信を行い、前記第１の通信は、前記端末装置および他の端末装置が互いに直接通信する通信のモードである。
【発明の効果】
【００１１】
この発明によれば、端末装置は効率的にＤ２Ｄを行うことができる。
【図面の簡単な説明】
【００１２】
【図１】本実施形態の無線通信システムの概念図である。
【図２】本実施形態の無線フレームの概略構成を示す図である。
【図３】本実施形態のスロットの構成を示す図である。
【図４】本実施形態のＤ２Ｄリソースを示す図である。
【図５】本実施形態におけるＤ２Ｄ通信のモードの設定方法について説明するための図である。
【図６】本実施形態におけるＤ２Ｄ通信のモードの設定方法について説明するための図である。
【図７】本実施形態の端末装置１の構成を示す概略ブロック図である。
【図８】本実施形態の基地局装置３の構成を示す概略ブロック図である。
【発明を実施するための形態】
【００１３】
以下、本発明の実施形態について説明する。
【００１４】
本実施形態では、端末装置は、１つまたは複数のセルが設定される。端末装置が複数のセルを介して通信する技術をセルアグリゲーション、またはキャリアアグリゲーションと称する。端末装置に対して設定される複数のセルのそれぞれにおいて、本発明が適用されてもよい。また、設定された複数のセルの一部において、本発明が適用されてもよい。端末装置に設定されるセルを、サービングセルと称する。サービングセルは、ＥＵＴＲＡＮの通信のために用いられる。Ｄ２Ｄのために設定されるセルを、Ｄ２Ｄセルと称する。Ｄ２Ｄセルはサービングセルであってもよい。また、Ｄ２Ｄセルはサービングセル以外のセルであってもよい。
【００１５】
設定された複数のサービングセルは、１つのプライマリーセルと１つまたは複数のセカンダリーセルとを含む。プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルである。ＲＲＣ（Radio Resource Control）コネクションが確立された時点、または、後に、セカンダリーセルが設定されてもよい。
【００１６】
セルアグリゲーションの場合には、複数のセルの全てに対してＴＤＤ（Time Division Duplex）方式またはＦＤＤ（Frequency Division Duplex）方式が適用されてもよい。また、ＴＤＤ方式が適用されるセルとＦＤＤ方式が適用されるセルが集約されてもよい。
【００１７】
図１は、本実施形態の無線通信システムの概念図である。図１において、無線通信システムは、端末装置１Ａ〜１Ｃ、および、基地局装置３を具備する。端末装置１Ａ〜１Ｃを端末装置１という。サービングセル４は、基地局装置３（ＬＴＥ、ＥＵＴＲＡＮ）がカバーするエリア（範囲）を示す。端末装置１Ａは、ＥＵＴＲＡＮの範囲内（in-coverage）である。端末装置１Ｂおよび端末装置１Ｃは、ＥＵＴＲＡＮの範囲外（out-of-coverage）である。ＥＵＴＲＡＮの範囲内である端末装置１は、ＥＵＴＲＡＮとのリンクが確立されている端末装置１を含んでもよい。ＥＵＴＲＡＮの範囲外である端末装置１は、ＥＵＴＲＡＮとのリンクが確立されていない端末装置１、および／または、ＲＲＣ＿ＩＤＬＥ状態の端末装置１を含んでもよい。
【００１８】
上りリンク５は、端末装置１から基地局装置３へのリンクである。下りリンク７は、基地局装置３から端末装置１へのリンクである。また、上りリンク５と下りリンク７とをセルラリンク、または、セルラ通信路とも称する。また、端末装置１と基地局装置３の通信をセルラ通信、または、ＥＵＴＲＡＮとの通信とも称する。
【００１９】
Ｄ２Ｄリンク９は、端末装置１間のリンクである。尚、Ｄ２Ｄリンク９をＤ２Ｄ通信路、ＰｒｏＳｅリンク、または、ＰｒｏＳｅ通信路とも称する。Ｄ２Ｄリンク９において、Ｄ２Ｄ発見およびＤ２Ｄ通信が行われる。Ｄ２Ｄ発見は、端末装置１がＥＵＴＲＡを用いて他の端末装置１と近接している（in proximity）ことを特定するプロセス／手順である。Ｄ２Ｄ通信は、複数の端末装置１間で確立されたＥＵＴＲＡＮ通信路を用いる、近接している複数の該端末装置１間の通信である。例えば、該通信路は端末装置１間に直接確立されてもよい。
【００２０】
本実施形態の物理チャネルおよび物理信号について説明する。
【００２１】
下りリンク物理チャネルおよび下りリンク物理信号を総称して、下りリンク信号と称する。上りリンク物理チャネルおよび上りリンク物理信号を総称して、上りリンク信号と称する。Ｄ２Ｄ物理チャネルおよびＤ２Ｄ物理信号を総称して、Ｄ２Ｄ信号と称する。物理チャネルは、上位層から出力された情報を送信するために使用される。物理信号は、上位層から出力された情報を送信するために使用されないが、物理層によって使用される。
【００２２】
図１において、端末装置１間のＤ２Ｄリンク９の無線通信では、以下のＤ２Ｄ物理チャネルが用いられる。
・ＰＤ２ＤＳＣＨ（Physical Device to Device Synchronization Channel）
・ＰＤ２ＤＤＣＨ（Physical Device to Device Data Channel）
【００２３】
ＰＤ２ＤＳＣＨは、同期に関する情報を送信するために用いられる。例えば、同期に関する情報は、Ｄ２Ｄフレーム番号、または、ＳＦＮ（System Frame Number）を示す情報などを含む。
【００２４】
ＰＤ２ＤＤＣＨは、Ｄ２Ｄデータ（ProSe communication Shared Channel: PSCH）およびＤ２ＤＳＡ（Device to Device Scheduling Assignment）を送信するために用いられる。Ｄ２ＤデータおよびＤ２ＤＳＡは同じＰＤ２ＤＳＣＨにマップされない。Ｄ２ＤＳＡは、Ｄ２Ｄデータの送信のために用いられるＰＤ２ＤＳＣＨのスケジューリングのために用いられる。Ｄ２ＤＳＡは、Ｄ２Ｄデータの送信のために用いられるＰＤ２ＤＳＣＨのリソースを示す情報、宛先識別子（destination identity）を示す情報、ソース識別子（source identity）を示す情報などを含む。Ｄ２Ｄ発見に対応するＤ２ＤデータおよびＤ２ＤＳＡを発見信号（discovery signal）と称する。Ｄ２Ｄ通信に対応するＤ２ＤデータおよびＤ２ＤＳＡを通信信号（communication signal）と称する。
【００２５】
ＰＤ２ＤＳＣＨは、ＰＵＳＣＨ（Physical Uplink Shared Channel）であってもよい。すなわち、Ｄ２ＤデータおよびＤ２ＤＳＡの送信のためにＰＵＳＣＨが使用されてもよい。本実施形態では、Ｄ２Ｄのために使用されるＰＵＳＣＨをＰＤ２ＤＳＣＨと称する。本実施形態では、ＥＵＴＲＡＮとの通信に用いられるＰＵＳＣＨを、単にＰＵＳＣＨと記載する。ＰＵＳＣＨの詳細については後述する。
【００２６】
図１において、Ｄ２Ｄの無線通信では、以下のＤ２Ｄ物理信号が用いられる。
・Ｄ２Ｄ同期信号（D2D Synchronization Signal: D2DSS）
・Ｄ２Ｄ参照信号（D2D Reference Signal: D2DRS）
【００２７】
Ｄ２ＤＳＳは、Ｄ２Ｄリンクにおける同期をとるために用いられる。Ｄ２ＤＳＳは、ＰＤ２ＤＳＳ（Primary D2D Synchronization Signal）およびＳＤ２ＤＳＳ（Secondary D2D synchronization Signal）を含む。Ｄ２ＤＳＳは、ＰＤ２ＤＳＣＨの送信に関連する。Ｄ２ＤＳＳは、ＰＤ２ＤＳＣＨと時間多重されてもよい。端末装置１は、ＰＤ２ＤＳＣＨの伝搬路補正を行なうためにＤ２ＤＳＳを使用してもよい。
【００２８】
Ｄ２ＤＲＳは、ＰＤ２ＤＳＣＨまたはＰＤ２ＤＤＣＨの送信に関連する。Ｄ２ＤＲＳは、ＰＵＳＣＨまたはＰＵＣＣＨと時間多重されてもよい。端末装置１は、ＰＤ２ＤＳＣＨの伝搬路補正を行なうためにＤ２ＤＲＳを使用してもよい。
【００２９】
送信する端末装置１の観点から、端末装置１は、Ｄ２Ｄ通信のリソース割り当てに対する２つのモード（モード１、モード２）で動作できる。
【００３０】
モード１において、ＥＵＴＲＡＮ（基地局装置３）は、通信信号（Ｄ２ＤデータおよびＤ２ＤＳＡ）の送信のために端末装置１によって使用される正確なリソースをスケジュールする。
【００３１】
モード２において、端末装置１は、通信信号（Ｄ２ＤデータおよびＤ２ＤＳＡ）の送信のためにリソースプールからリソースを選択する。リソースプールは、リソースのセットである。モード２に対するリソースプールは、ＥＵＴＲＡＮ（基地局装置３）によって準静的（semi-static）に設定／制限されてもよい。または、モード２に対するリソースプールは予め設定（pre-configured）されていてもよい。
【００３２】
Ｄ２Ｄ通信の能力を持つ、ＥＵＴＲＡＮの範囲内（in-coverage）の端末装置１は、モード１およびモード２をサポートしてもよい。Ｄ２Ｄ通信の能力を持つ、ＥＵＴＲＡＮの範囲外（out-of-coverage）の端末装置１は、モード２のみをサポートしてもよい。予め設定された設定（例えば、モード２に対するリソースプール）は、ＥＵＴＲＡＮの範囲外の端末装置１によって使用される。本実施形態において、予め設定された設定以外の設定は、ＥＵＴＲＡＮの範囲内の端末装置１によって使用される。また、本実施形態におけて予め設定された設定以外の設定は、セル内、または、セルのグループ内でのみ有効である。
【００３３】
Ｄ２Ｄ発見手順として２つのタイプ（タイプ１、タイプ２）が定義される。
【００３４】
タイプ１のＤ２Ｄ発見手順は、発見信号に対するリソースが端末装置１に対して個別に割り当てられないＤ２Ｄ発見手順である。すなわち、タイプ１のＤ２Ｄ発見手順において、発見信号に対するリソースは全ての端末装置１または端末装置１のグループに対して割り当てられてもよい。
【００３５】
タイプ２のＤ２Ｄ発見手順は、発見信号に対するリソースが端末装置１に対して個別に割り当てられるＤ２Ｄ発見手順である。リソースが発見信号の個別の送信インスタンス（instance）のそれぞれに対して割り当てられる発見手順を、タイプ２Ａ発見手順と称する。リソースが発見信号の送信のために準永続的（semi-persistently）に割り当てられるタイプ２の発見手順を、タイプ２Ｂ発見手順と称する。
【００３６】
図１において、上りリンクの無線通信では、以下の上りリンク物理チャネルが用いられる。
・ＰＵＣＣＨ（Physical Uplink Control Channel）
・ＰＵＳＣＨ（Physical Uplink Shared Channel）
・ＰＲＡＣＨ（Physical Random Access Channel）
【００３７】
ＰＵＣＣＨは、上りリンク制御情報（Uplink Control Information: UCI）を送信するために用いられる物理チャネルである。
【００３８】
ＰＵＳＣＨは、上りリンクデータ（Uplink-Shared Channel: UL-SCH）および／またはＨＡＲＱ−ＡＣＫおよび／またはチャネル状態情報を送信するために用いられる物理チャネルである。
【００３９】
ＰＲＡＣＨは、ランダムアクセスプリアンブルを送信するために用いられる物理チャネルである。ＰＲＡＣＨは、初期コネクション確立（initial connection establishment）プロシージャ、ハンドオーバプロシージャ、コネクション再確立（connection re-establishment）プロシージャにおいて用いられる。
【００４０】
図１において、上りリンクの無線通信では、以下の上りリンク物理信号が用いられる。
・上りリンク参照信号（Uplink Reference Signal: UL RS）
【００４１】
本実施形態において、以下の２つのタイプの上りリンク参照信号が用いられる。
・ＤＭＲＳ（Demodulation Reference Signal）
・ＳＲＳ（Sounding Reference Signal）
【００４２】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。基地局装置３は、上りリンクのチャネル状態を測定するためにＳＲＳを使用する。
【００４３】
図１において、下りリンクの無線通信では、以下の下りリンク物理チャネルが用いられる。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００４４】
ＰＢＣＨは、端末装置１で共通に用いられるマスターインフォメーションブロック（Master Information Block: MIB, Broadcast Channel: BCH）を報知するために用いられる。例えば、ＭＩＢは、ＳＦＮを示す情報を含む。ＳＦＮ（system frame number）は無線フレームの番号である。ＭＩＢはシステム情報である。
【００４５】
ＰＣＦＩＣＨは、ＰＤＣＣＨの送信に用いられる領域（ＯＦＤＭシンボル）を指示する情報を送信するために用いられる。
【００４６】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータを送信するために用いられる。
【００４７】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink grant）、上りリンクグラント（uplink grant）、および、Ｄ２Ｄグラント（D2D grant）を含む。下りリンクグラントは、下りリンクアサインメント（downlink assignment）または下りリンク割り当て（downlink allocation）とも称する。
【００４８】
上りリンクグラントは、単一のセル内の単一のＰＵＳＣＨのスケジューリングに用いられる。上りリンクグラントは、あるサブフレーム内の単一のＰＵＳＣＨのスケジューリングに用いられる。下りリンクグラントは、単一のセル内の単一のＰＤＳＣＨのスケジューリングに用いられる。下りリンクグラントは、該下りリンクグラントが送信されたサブフレームと同じサブフレーム内のＰＤＳＣＨのスケジューリングに用いられる。Ｄ２Ｄグラントは、Ｄ２Ｄ通信のモード１に関連するＰＤ２ＤＤＣＨのスケジューリングに用いられる。
【００４９】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、ＳＰＳ  Ｃ−ＲＮＴＩ（Semi Persistent Scheduling Cell-Radio Network Temporary Identifier）、または、Ｄ２Ｄ−ＲＮＴＩ（D2D-Radio Network Temporary Identifier）でスクランブルされる。Ｃ−ＲＮＴＩ、ＳＰＳ  Ｃ−ＲＮＴＩ、および、Ｄ２Ｄ−ＲＮＴＩは、セル内において端末装置１を識別するための識別子である。Ｃ−ＲＮＴＩは、単一のサブフレームにおけるＰＤＳＣＨのリソースまたはＰＵＳＣＨのリソースを制御するために用いられる。ＳＰＳ  Ｃ−ＲＮＴＩは、ＰＤＳＣＨまたはＰＵＳＣＨのリソースを周期的に割り当てるために用いられる。Ｄ２Ｄ−ＲＮＴＩは、Ｄ２Ｄグラントの送信のために用いられる。すなわち、Ｄ２Ｄ−ＲＮＴＩは、モード１のＤ２Ｄ通信のためのＰＤ２ＤＳＣＨのスケジューリングに用いられる。
【００５０】
ＰＤＳＣＨは、下りリンクデータ（Downlink Shared Channel: DL-SCH）を送信するために用いられる。
【００５１】
ＰＭＣＨは、マルチキャストデータ（Multicast Channel: MCH）を送信するために用いられる。
【００５２】
図１において、下りリンクの無線通信では、以下の下りリンク物理信号が用いられる。
・同期信号（Synchronization signal: SS）
・下りリンク参照信号（Downlink Reference Signal: DL RS）
【００５３】
同期信号は、端末装置１が下りリンクの周波数領域および時間領域の同期をとるために用いられる。ＦＤＤ方式において、同期信号は無線フレーム内のサブフレーム０と５に配置される。
【００５４】
下りリンク参照信号は、端末装置１が下りリンク物理チャネルの伝搬路補正を行なうために用いられる。下りリンク参照信号は、端末装置１が下りリンクのチャネル状態情報を算出するために用いられる。下りリンク参照信号は、端末装置１が自装置の地理的な位置を測定するために用いられる。
【００５５】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
【００５６】
ＣＲＳは、サブフレームの全帯域で送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、端末装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００５７】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。ＰＤＳＣＨは、ＣＲＳの送信に用いられるアンテナポートまたはＵＲＳの送信に用いられるアンテナポートで送信される。
【００５８】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００５９】
ＮＺＰ  ＣＳＩ−ＲＳは、設定されたサブフレームで送信される。ＮＺＰ  ＣＳＩ−ＲＳが送信されるリソースは、基地局装置３が設定する。ＮＺＰ  ＣＳＩ−ＲＳは、端末装置１が下りリンクのチャネル状態情報を算出するために用いられる。端末装置１は、ＮＺＰ  ＣＳＩ−ＲＳを用いて信号測定（チャネル測定）を行なう。
【００６０】
ＺＰ  ＣＳＩ−ＲＳのリソースは、基地局装置３が設定する。基地局装置３は、ＺＰ  ＣＳＩ−ＲＳをゼロ出力で送信する。つまり、基地局装置３は、ＺＰ  ＣＳＩ−ＲＳを送信しない。基地局装置３は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置１は、干渉を測定することができる。
【００６１】
ＭＢＳＦＮ  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信用いられるアンテナポートで送信される。
【００６２】
ＰＳＣＨ、ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルにおけるデータの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６３】
本実施形態の無線フレーム（radio frame）の構造（structure）について説明する。
【００６４】
ＬＴＥでは、２つの無線フレーム構造がサポートされる。２つの無線フレーム構造は、フレーム構造タイプ１とフレーム構造タイプ２である。フレーム構造タイプ１はＦＤＤに適用可能である。フレーム構造タイプ２はＴＤＤに適用可能である。
【００６５】
図２は、本実施形態の無線フレームの概略構成を示す図である。図２において、横軸は時間軸である。また、タイプ１およびタイプ２の無線フレームのそれぞれは、１０ｍｓ長であり、１０のサブフレームによって定義される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。
【００６６】
フレーム構造タイプ２に対して、以下の３つのタイプのサブフレームが定義される。
・下りリンクサブフレーム
・上りリンクサブフレーム
・スペシャルサブフレーム
【００６７】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００６８】
フレーム構造タイプ２の無線フレームは、少なくとも下りリンクサブフレーム、上りリンクサブフレーム、およびスペシャルサブフレームから構成される。
【００６９】
本実施形態のスロットの構成について説明する。
【００７０】
図３は、本実施形態のスロットの構成を示す図である。図３において、ＯＦＤＭシンボルまたはＳＣ−ＦＤＭＡシンボルに対してノーマルＣＰ（Cyclic Prefix）が適用される。スロットのそれぞれにおいて送信される物理信号または物理チャネルは、リソースグリッドによって表現される。図３において、横軸は時間軸であり、縦軸は周波数軸である。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。例えば、Ｄ２Ｄリンクにおいて、リソースグリッドは複数のサブキャリアと複数のＳＣ−ＦＤＭＡシンボルによって定義されてもよい。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００７１】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００７２】
尚、ＯＦＤＭシンボルまたはＳＣ−ＦＤＭＡシンボルに対して拡張（extended）ＣＰが適用されてもよい。拡張ＣＰの場合、１つのスロットを構成するＯＦＤＭシンボルまたはＳＣ−ＦＤＭＡシンボルの数は７である。
【００７３】
本実施形態の物理チャネルおよび物理信号の配置について説明する。
【００７４】
図４は、本実施形態のＤ２Ｄリソースを示す図である。Ｄ２Ｄのためにリザーブされるリソースを、Ｄ２Ｄリソースと称する。図４において、横軸は時間軸であり、縦軸は周波数軸である。図４において、Ｄは下りリンクサブフレームを示し、Ｓはスペシャルサブフレームを示し、Ｕは上りリンクサブフレームを示す。１つのＦＤＤセルは、１つの下りリンクキャリアおよび１つの上りリンクキャリアに対応する。１つのＴＤＤセルは１つのＴＤＤキャリアに対応する。
【００７５】
ＦＤＤセルにおいて、セルラ通信に対して用いられる下りリンク信号は下りリンクキャリアのサブフレームに配置され、セルラ通信に対して用いられる上りリンク信号は上りリンクキャリアのサブフレームに配置され、Ｄ２Ｄに対して用いられるＤ２Ｄ信号は上りリンクキャリアのサブフレームに配置される。下りリンクにおいてセルに対応するキャリアを下りリンクコンポーネントキャリアと称する。また、上りリンクにおいてセルに対応するキャリアを上りリンクコンポーネントキャリアと称する。ＴＤＤキャリアは、下りリンクコンポーネントキャリアであり、かつ、上りリンクコンポーネントキャリアである。
【００７６】
ＴＤＤセルにおいて、セルラ通信に対して用いられる下りリンク信号は下りリンクサブフレームおよびＤｗＰＴＳに配置され、セルラ通信に対して用いられる上りリンク信号は上りリンクサブフレームおよびＵｐＰＴＳに配置され、Ｄ２Ｄに対して用いられるＤ２Ｄ信号は上りリンクサブフレームおよびＵｐＰＴＳに配置される。
【００７７】
基地局装置３は、Ｄ２ＤのためにリザーブされるＤ２Ｄリソースを制御する。基地局装置３は、ＦＤＤセルの上りリンクキャリアのリソースの一部をＤ２Ｄリソースとしてリザーブする。基地局装置３は、ＴＤＤセルの上りリンクサブフレームおよびＵｐＰＴＳのリソースの一部をＤ２Ｄリソースとしてリザーブする。
【００７８】
基地局装置３は、セルのそれぞれにおいてリザーブされたＤ２Ｄリソースのセット（プール）を示す情報を含む上位層の信号を、端末装置１に送信してもよい。端末装置１は、セルのそれぞれにおいてリザーブされたＤ２Ｄリソースを示すパラメータD2D-ResourceConfigを、基地局装置３から受信した上位層の信号に基づいてセットする。すなわち、基地局装置３は、セルのそれぞれにおいてリザーブされたＤ２Ｄリソースを示すパラメータD2D-ResourceConfigを、上位層の信号を介して端末装置１にセットする。
【００７９】
ＰＤ２ＤＳＣＨおよびＤ２ＤＳＳは、上りリンクコンポーネントキャリアの中心周波数の周りの６２サブキャリアを用いて送信されてもよい。
【００８０】
基地局装置３は、Ｄ２Ｄのためにリザーブされるリソースの１つまたは複数のセットを示す１つまたは複数のパラメータを、上位層の信号を介して端末装置１にセットしてもよい。
【００８１】
ＰＤ２ＤＳＣＨおよびＤ２ＤＳＳのためのリソースのセットと、ＰＤ２ＤＤＣＨのためにリザーブされるリソースのセットは、個別に設定されてもよい。
【００８２】
Ｄ２Ｄ発見のタイプ１、Ｄ２Ｄ発見のタイプ２、Ｄ２Ｄ通信のモード１、および、Ｄ２Ｄ通信のモード２のそれぞれのためのリソースのセットは、個別に設定されてもよい。
【００８３】
Ｄ２Ｄの送信および受信のためのリソースのセットは、個別に設定されてもよい。
【００８４】
さらに、Ｄ２Ｄデータの送信に関するＰＤ２ＤＤＣＨのためのリソースのセットと、Ｄ２ＤＳＡの送信に関するＰＤ２ＤＤＣＨのためのリソースのセットは、個別に設定されてもよい。
【００８５】
端末装置１の観点から、上述したリソースのセットのうち一部のリソースのセットは、透過的（transparent）であってもよい。例えば、Ｄ２Ｄ通信のＤ２ＤデータのためのＰＤ２ＤＤＣＨは、Ｄ２ＤＳＡによってスケジュールされるため、端末装置１は、Ｄ２Ｄ通信のＤ２Ｄデータに関するＰＤ２ＤＤＣＨの受信／モニタのためのリソースのセットを設定しなくてもよい。
【００８６】
３ＧＰＰにおいて、Ｄ２Ｄは、ＰＳ（Public Safety）のために用いられることが検討されている。基地局装置３は、Ｄ２ＤリソースのセットのそれぞれがＰＳのためのリソースのセットであるかどうかを、端末装置１に通知してもよい。また、端末装置１は、ＥＵＴＲＡＮを介して、ＰＳのためのＤ２Ｄが認証されてもよい。すなわち、ＰＳのためのＤ２Ｄが認証されていない端末装置１は、ＰＳのためのリソースのセットでＤ２Ｄを行うことができない。
【００８７】
尚、Ｄ２Ｄ通信とＤ２Ｄ発見は個別に認証されてもよい。また、Ｄ２Ｄ発見のタイプ１、Ｄ２Ｄ発見のタイプ２、Ｄ２Ｄ通信のモード１、および、Ｄ２Ｄ通信のモード２のそれぞれは、個別に認証されてもよい。
【００８８】
以下、本実施形態において、Ｄ２Ｄ通信が認証されている端末装置１を、単に端末装置１と記載する。
【００８９】
本実施形態のＣＰ長の設定方法について説明する。
【００９０】
基地局装置３は、上りリンクおよび下りリンクのＣＰ長を制御する。基地局装置３は、サービングセル毎に上りリンクおよび下りリンクのＣＰ長を個別に制御してもよい。
【００９１】
端末装置１は、サービングセルに対する同期信号および／またはＰＢＣＨに基づいて、ＰＭＣＨおよびＭＢＳＦＮ  ＲＳを除く、サービングセルに対する下りリンク信号のＣＰ長を検出する。ＰＭＣＨおよびＭＢＳＦＮ  ＲＳに対して常に拡張ＣＰが適用される。
【００９２】
基地局装置３は、サービングセルにおける上りリンク信号のＣＰ長を示す情報を含む上位層の信号を、端末装置１に送信する。端末装置１は、サービングセルにおける上りリンクのＣＰ長を示すパラメータUL-CyclicPrefixLengthを、基地局装置３から受信した上位層の信号に基づいてセットする。すなわち、基地局装置３は、サービングセルにおける上りリンクのＣＰ長を示すパラメータUL-CyclicPrefixLengthを、上位層の信号を介して端末装置１にセットする。
【００９３】
基地局装置３は、Ｄ２Ｄに対するＣＰ長を示す情報を含む上位層の信号を、端末装置１に送信してもよい。端末装置１は、Ｄ２Ｄに対するＣＰ長を示すパラメータD2D-CyclicPrefixLengthを、基地局装置３から受信した上位層の信号に基づいてセットしてもよい。すなわち、基地局装置３は、Ｄ２Ｄに対するＣＰ長を示すパラメータD2D-CyclicPrefixLengthを、上位層の信号を介して端末装置１にセットしてもよい。
【００９４】
ＰＤ２ＤＳＣＨおよびＤ２ＤＳＳのＣＰ長と、ＰＤ２ＤＤＣＨのＣＰ長は、個別に設定されてもよい。
【００９５】
Ｄ２Ｄ発見のタイプ１、Ｄ２Ｄ発見のタイプ２、Ｄ２Ｄ通信のモード１、および、Ｄ２Ｄ通信のモード２のそれぞれのためのＣＰ長は、個別に設定されてもよい。
【００９６】
Ｄ２Ｄデータの送信に関するＰＤ２ＤＤＣＨのためのＣＰ長と、Ｄ２ＤＳＡの送信に関するＰＤ２ＤＤＣＨのＣＰ長は、個別に設定されてもよい。
【００９７】
ＰＤ２ＤＳＣＨおよびＤ２ＤＳＳのＣＰ長は、予め仕様などで定義され、固定であってもよい。Ｄ２ＤＳＡの送信に関するＰＤ２ＤＤＣＨのＣＰ長は、予め仕様などで定義され、固定であってもよい。
【００９８】
以下、Ｄ２Ｄ通信のモードの設定方法について説明する。
【００９９】
ＥＵＴＲＡＮの範囲外の端末装置１は、Ｄ２Ｄ通信に対してモード２を設定してもよい。ＥＵＴＲＡＮの範囲外の端末装置１は、Ｄ２Ｄ通信に対してモード１を設定してはいけない。
【０１００】
端末装置１は、ＥＵＴＲＡＮの範囲内の端末装置１に対して、Ｄ２Ｄ通信のモード１、または、Ｄ２Ｄ通信のモード２を指示する情報を、上位層（ＲＲＣ層）の信号を介して、基地局装置３から受信してもよい。すなわち、ＥＵＴＲＡＮの範囲内の端末装置１は、基地局装置３から受信した情報に基づいて、Ｄ２Ｄ通信のモード１、または、Ｄ２Ｄ通信のモード２を設定してもよい。Ｄ２Ｄ通信のモード１、または、Ｄ２Ｄ通信のモード２を指示する情報は、ＲＲＣ層のメッセージであるRRCConnectionReconfigurationメッセージに含まれる。
【０１０１】
ＥＵＴＲＡＮの範囲内の端末装置１は、基地局装置３から受信したハンドオーバコマンドに基づいて、ターゲットセルにおけるＤ２Ｄ通信のモードを設定してもよい。ハンドオーバコマンドは、mobilityControlInfoを含むRRCConnectionReconfigurationメッセージである。mobilityControlInfoは、ターゲットセルの周波数に関する情報、ターゲットセルのセル識別子に関する情報などが含まれる。mobilityControlInfoを含むRRCConnectionReconfigurationメッセージは、ターゲットセルにおけるＤ２Ｄ通信のモードを示す情報、および、ターゲットセルにおけるＲＲＣ層におけるパラメータを示す情報を含む。
【０１０２】
図５および図６は、本実施形態におけるＤ２Ｄ通信のモードの設定方法について説明するための図である。図５において、端末装置１はハンドオーバに成功している。図６において、端末装置１はハンドオーバに失敗している。
【０１０３】
図５および図６における期間１０は、ハンドオーバ前のソースセルにおいて、端末装置１がＤ２Ｄ通信の設定されたモードに基づいてＤ２Ｄ通信を行う期間である。端末装置１は、初期アクセスプロシージャ、または、ＲＲＣコネクション再構築プロシージャ中に、RRCConnectionReconfigurationメッセージを介して、Ｄ２Ｄ通信のモードが設定されてもよい。ソースセルは、ソースプライマリーセルを含んでもよい。ソースプライマリーセルは、ハンドオーバプロシージャ前のプライマリーセルである。
【０１０４】
図５における期間１２は、ハンドオーバプロシージャを開始してから、ハンドオーバコンプリート（RRCConnectionReconfigurationComplete）メッセージをＥＵＴＲＡＮに送信するまでの期間である。期間１２は、ハンドオーバプロシージャを開始してから、ハンドオーバコマンドに含まれるターゲットセルにおけるＤ２Ｄ通信のモードを示す情報を適用するまでの期間であってもよい。ターゲットセルは、ターゲットプライマリーセルを含んでもよい。ターゲットプライマリーセルは、ハンドオーバの対象となるプライマリーセルである。
【０１０５】
図６における期間１２は、Ｔ３０４タイマーがランニングしている期間である。図５においても、期間１２はＴ３０４タイマーがランニングしている期間であってもよい。端末装置１は、mobilityControlInfoを含むRRCConnectionReconfigurationメッセージを受信した場合に、Ｔ３０４タイマーをスタートする。Ｔ３０４タイマーの値は、mobilityControlInfoに含まれる情報が示す値にセットされる。端末装置１は、ハンドオーバに成功した場合、Ｔ３０４タイマーをストップする。例えば、ＲＲＣ層が下位層にRRCConnectionReconfigurationCompleteメッセージを出力した後にＭＡＣがランダムアクセスプロシージャを成功裏に完了した場合、端末装置１のＲＲＣ層は、Ｔ３０４タイマーをストップする。
【０１０６】
図５および図６の期間１２において、端末装置１は、以下の受信／モニタの処理のうちの１つ、または、複数の受信／モニタの処理を行ってもよい。
・処理（１）：ハンドオーバ前のＤ２Ｄ通信の設定に基づく、通信信号の受信／モニタ処理
・処理（２）：ハンドオーバ後のＤ２Ｄ通信の設定に基づく、通信信号の受信／モニタ処理
・処理（３）：Ｄ２Ｄ通信の予め設定された（pre-configured）設定に基づく、通信信号の受信／モニタ処理
【０１０７】
尚、ＥＵＴＲＡＮの範囲外の端末装置１は、Ｄ２Ｄ通信の予め設定された設定に基づいて、Ｄ２Ｄ通信を行う。Ｄ２Ｄ通信の設定は、Ｄ２Ｄ通信に対するリソースプール、ＣＰ長などの設定を含む。
【０１０８】
図５および図６の期間１２において、端末装置１は、ＥＵＴＲＡＮから受信した情報（例えば、ハンドオーバコマンド）に基づいて、処理（１）から（３）の何れかを行うかを決定してもよい。端末装置１は、ＥＵＴＲＡＮから受信した情報に基づいて、期間１２において、処理（１）から（３）の何れも行わないと決定してもよい。
【０１０９】
図５および図６の期間１２において、端末装置１は、以下の送信の処理のうちの１つ、または、複数の送信の処理を行ってもよい。
・処理（４）：ハンドオーバ前のＤ２Ｄ通信のモード２の設定に基づく、通信信号の送信処理
・処理（５）：ハンドオーバ後のＤ２Ｄ通信のモード２の設定に基づく、通信信号の送信処理
・処理（６）：Ｄ２Ｄ通信のモード２に対する予め設定された（pre-configured）設定に基づく、通信信号の送信処理
・処理（７）：ハンドオーバ前のＤ２Ｄ通信のモード１の設定に基づく、通信信号の送信処理
・処理（８）：ハンドオーバ後のＤ２Ｄ通信のモード１の設定に基づく、通信信号の送信処理
【０１１０】
図５および図６の期間１２において、端末装置１は、ＥＵＴＲＡＮから受信した情報（例えば、ハンドオーバコマンド）に基づいて、処理（４）から（８）の何れかを行うかを決定してもよい。端末装置１は、ＥＵＴＲＡＮから受信した情報に基づいて、期間１２において、処理（４）から（８）の何れも行わないと決定してもよい。
【０１１１】
図５における期間１４は、ハンドオーバ後のターゲットセルにおいて、端末装置１がＤ２Ｄ通信の設定されたモードに基づいてＤ２Ｄ通信を行う期間である。端末装置１は、ハンドオーバコマンドを介して、Ｄ２Ｄ通信のモードが設定される。
【０１１２】
図６における期間１６は、端末装置１がハンドオーバに失敗してからＲＲＣコネクション再構築プロシージャが完了するまでの期間である。
【０１１３】
Ｔ３０４タイマーが満了した場合、端末装置１は、専用のＤ２Ｄの設定を除いて、ソースセルにおいて使われていた設定に戻り（revert back）、ＲＲＣコネクション再構築プロシージャ（RRC connection re-establishment procedure）を開始する。すなわち、Ｔ３０４タイマーが満了する場合、端末装置１はハンドオーバに失敗している。専用のＤ２Ｄの設定は、Ｄ２Ｄ通信のモード１の設定を含む。Ｄ２Ｄ通信のモード２の設定（リソースプールの設定）は、専用のＤ２Ｄの設定に含まれてもよい。Ｄ２Ｄ通信のモード２の設定（リソースプールの設定）は、複数の端末装置１に対して共通であるシステムインフォメーションブロックを介して、送信されてもよい。
【０１１４】
専用のＤ２Ｄの設定は、端末装置１に対して専用の情報／メッセージに基づく。システムインフォメーションブロックは、複数の端末装置１に対して共通の情報／メッセージを含む。複数の端末装置１に対して共通の情報／メッセージは、セル内で共通の情報／メッセージである。
【０１１５】
ハンドオーバコマンドは、端末装置１に対して専用の情報／メッセージおよび複数の端末装置１に対して共通の情報／メッセージを含んでもよい。
【０１１６】
期間１２および／または期間１６において、Ｄ２Ｄ通信のモード２の設定を示す情報が、端末装置１に対して専用の情報／メッセージであるか、複数の端末装置１に対して共通の情報／メッセージであるかに基づいて、端末装置１は処理（１）から（８）の何れを行うかを決定してもよい。
【０１１７】
例１において、Ｄ２Ｄ通信のモード２の設定を示す情報が、複数の端末装置１に対して共通の情報／メッセージである場合、図５および図６の期間１２において、端末装置１は処理（２）および／または処理（５）を行ってもよい。
【０１１８】
例２において、Ｄ２Ｄ通信のモード２の設定を示す情報が、端末装置１に対して専用の情報／メッセージである場合、図５および図６の期間１２において、端末装置１は、処理（３）および／または処理（６）を行なってもよい。
【０１１９】
例３において、Ｄ２Ｄ通信のモード２の設定を示す情報が、端末装置１に対して専用の情報／メッセージである場合、図５および図６の期間１２において、端末装置１は、Ｄ２Ｄ通信の処理を行なわなくてもよい。
【０１２０】
例４において、図５における期間１２において、ターゲットセルにおいてモード２のＤ２Ｄの設定がシステムインフォメーションブロックを介して送信されている場合、ハンドオーバ中の端末装置１は、処理（１）および処理（４）の両方または何れか一方を行ってもよい。
【０１２１】
例５において、図５における期間１２において、ターゲットセルにおいてモード２のＤ２Ｄの設定が端末装置１に対して専用の情報／メッセージを介して送信されている場合、ハンドオーバ中の端末装置１は、処理（３）および処理（６）の両方または何れか一方を行ってもよい。
【０１２２】
例６において、図５における期間１２において、ターゲットセルにおいてモード２のＤ２Ｄの設定が端末装置１に対して専用の情報／メッセージを介して送信されている場合、ハンドオーバ中の端末装置１は、Ｄ２Ｄ通信の処理を行わなくてもよい。
【０１２３】
例７において、図６における期間１６において、ソースセルにおいてモード２のＤ２Ｄの設定がシステムインフォメーションブロックを介して送信されている場合、ハンドオーバに失敗した端末装置１は、処理（１）および処理（４）の両方または何れか一方を行ってもよい。
【０１２４】
例８において、図６における期間１６において、ソースセルにおいてモード２のＤ２Ｄの設定が端末装置１に対して専用の情報／メッセージを介して送信されている場合、ハンドオーバに失敗した端末装置１は、処理（３）および処理（６）の両方または何れか一方を行ってもよい。
【０１２５】
例９において、図６における期間１６において、ソースセルにおいてモード２のＤ２Ｄの設定が端末装置１に対して専用の情報／メッセージを介して送信されている場合、ハンドオーバに失敗した端末装置１は、Ｄ２Ｄ通信の処理を行わなくてもよい。
【０１２６】
上記の例１から例９において、端末装置１はソースセルにおいてモード１のＤ２Ｄ通信を指示されていてもよい。上記の例１から例９において、端末装置１はターゲットセルにおいてモード１のＤ２Ｄ通信を指示されていてもよい。上記の例１から例９において、端末装置１はソースセルにおいてモード２のＤ２Ｄ通信を指示されていてもよい。上記の例１から例９において、端末装置１はターゲットセルにおいてモード２のＤ２Ｄ通信を指示されていてもよい。
【０１２７】
期間１２および／または期間１６において、基地局装置３によって何れのモードのＤ２Ｄ通信を指示されているかに基づいて、端末装置１は処理（１）から（８）の何れを行うかを決定してもよい。期間１２および／または期間１６において、基地局装置３によって何れのモードのＤ２Ｄ通信を指示されているかに基づいて、端末装置１は処理（１）から（８）の何れも行わないと決定してもよい。
【０１２８】
期間１２および／または期間１６において、ソースセルにおいて指示されたＤ２Ｄ通信のモードおよびターゲットセルにおいて指示されたＤ２Ｄ通信のモードに基づいて、端末装置１は処理（１）から（８）の何れを行うかを決定してもよい。期間１２および／または期間１６において、ソースセルにおいて指示されたＤ２Ｄ通信のモードおよびターゲットセルにおいて指示されたＤ２Ｄ通信のモードに基づいて、端末装置１は処理（１）から（８）の何れも行わないと決定してもよい。
【０１２９】
以下、本実施形態における装置の構成について説明する。
【０１３０】
図７は、本実施形態の端末装置１の構成を示す概略ブロック図である。図示するように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、Ｄ２Ｄ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１３１】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１３２】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。
【０１３３】
上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０１３４】
上位層処理部１０１が備えるＤ２Ｄ制御部１０１５は、無線リソース制御部１０１１によって管理されている各種設定情報／パラメータに基づいて、Ｄ２Ｄ発見、Ｄ２Ｄ通信、および／または、ＰｒｏＳｅ−ａｓｓｉｓｔｅｄ  ＷＬＡＮダイレクト通信の制御を行う。Ｄ２Ｄ制御部１０１５は、他の端末装置１またはＥＵＴＲＡＮ（基地局装置３）に送信する、Ｄ２Ｄに関連する情報を生成してもよい。
【０１３５】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０１３６】
受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０１３７】
無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０１３８】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０１３９】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０１４０】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１４１】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩの算出のために、チャネル測定、および／または、干渉測定を行なう。
【０１４２】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。
【０１４３】
符号化部１０７１は、上位層処理部１０１から入力された上りリンク制御情報を畳込み符号化、ブロック符号化等の符号化を行う。また、符号化部１０７１は、ＰＵＳＣＨのスケジューリングに用いられる情報に基づきターボ符号化を行なう。
【０１４４】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０１４５】
上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０１４６】
無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０１４７】
図８は、本実施形態の基地局装置３の構成を示す概略ブロック図である。図示するように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、Ｄ２Ｄ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１４８】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１４９】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、端末装置１各々の各種設定情報／パラメータの管理をする。無線リソース制御部１０１１は、上位層の信号を介して端末装置１各々に対して各種設定情報／パラメータをセットしてもよい。すなわち、無線リソース制御部１０１１は、各種設定情報／パラメータを示す情報を送信／報知する。
【０１５０】
上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０１５１】
上位層処理部３０１が備えるＤ２Ｄ制御部３０１５は、無線リソース制御部３０１１によって管理されている各種設定情報／パラメータに基づいて、セルラリンクを用いて通信している端末装置１におけるＤ２Ｄ発見、Ｄ２Ｄ通信、および／または、ＰｒｏＳｅ−ａｓｓｉｓｔｅｄ  ＷＬＡＮダイレクト通信の制御を行う。Ｄ２Ｄ制御部３０１５は、他の基地局装置３または端末装置１に送信する、Ｄ２Ｄに関連する情報を生成してもよい。
【０１５２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１５３】
受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１５４】
無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform: FFT）を行い、周波数領域の信号を抽出し多重分離部３０５５に出力する。
【０１５５】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１５６】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１５７】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１５８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０１５９】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１６０】
下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１６１】
無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０１６２】
本実施形態の端末装置１は、他の端末装置１および基地局装置３（ＥＵＴＲＡＮ）と通信する端末装置１であって、前記他の端末装置１へ送信するＤ２Ｄ信号に対するサイクリックプリフィックスの長さを示す情報、および、前記基地局装置３へ送信する上りリンク信号に対するサイクリックプリフィックスの長さを示す情報を、前記基地局装置３から受信する受信部１０５を備える。
【０１６３】
本実施形態の端末装置１は、前記基地局装置３へ送信する上りリンク信号と前記他の端末装置１へ送信するＤ２Ｄ信号が同じセルで同時に発生した場合、前記基地局装置３へ送信する上りリンク信号の送信タイミングと前記他の端末装置１へ送信するＤ２Ｄ信号の送信タイミングが同じかどうか、および／または、前記基地局装置３へ送信する上りリンク信号に対するサイクリックプリフィックスの長さと前記他の端末装置１へ送信するＤ２Ｄ信号のサイクリックプリフィックスの長さが同じかどうかに、少なくとも基づいて、前記基地局装置３へ送信する上りリンク信号と前記他の端末装置１へ送信するＤ２Ｄ信号の両方を送信するか、前記基地局装置３へ送信する上りリンク信号と前記他の端末装置１へ送信するＤ２Ｄ信号の何れか一方を送信するかを決定する送信部１０７を備える。
【０１６４】
上記の上位層処理部１０１（設定部）は、Ｄ２Ｄ通信のモードの設定を行う。例えば、上記の上位層処理部１０１は、基地局装置３からの指示、Ｔ３０４タイマーなどに基づいて、Ｄ２Ｄ通信のモードを設定する。
【０１６５】
上記の端末装置１は、他の端末装置およびＥＵＴＲＡＮ（Evolved Universal Terrestrial Radio Access Network）と通信する端末装置であって、端末装置間の通信のモードとして、前記ＥＵＴＲＡＮの範囲外における端末装置間の通信および前記ＥＵＴＲＡＮの範囲内における端末装置間の通信に使用可能なモード２を設定し、前記ＥＵＴＲＡＮの範囲外における前記モード２の端末装置間の通信のために少なくとも使用される第１の設定（予め設定された設定）と、前記ＥＵＴＲＡＮの範囲内における前記モード２の端末装置間の通信のために使用される第２の設定（予め設定された設定以外の設定）を設定する上記の上位層処理部１０１（設定部）と、ハンドオーバプロシージャ中に、モード２の端末装置間の通信の受信処理を行う受信部１０５と、を備える。
【０１６６】
上記の受信部１０５は、ハンドオーバプロシージャ中に、前記第１の設定に基づく、前記モード２の端末装置間の通信の受信処理を行ってもよい。
【０１６７】
上記の受信部１０５は、ハンドオーバプロシージャ中に、ソースセルに対する前記第２の設定に基づく、前記モード２の端末装置間の通信の受信処理を行ってもよい。
【０１６８】
上記の受信部１０５は、ハンドオーバプロシージャ中に、ターゲットセルに対する前記第２の設定に基づく、前記モード２の端末装置間の通信の受信処理を行ってもよい。
【０１６９】
上記の送信部１０７は、ハンドオーバプロシージャ中に、前記第１の設定に基づく、前記モード２の端末装置間の通信の送信処理を行ってもよい。
【０１７０】
上記の送信部１０７は、ソースセルに対する前記第２の設定に基づく、前記モード２の端末装置間の通信の送信処理を行ってもよい。
【０１７１】
上記の送信部１０７は、ハンドオーバプロシージャ中に、ターゲットセルに対する前記第２の設定に基づく、前記モード２の端末装置間の通信の送信処理を行ってもよい。
【０１７２】
上記の送信部１０７は、ハンドオーバプロシージャ中に、前記モード２の端末装置間の通信の送信処理を行わなくてもよい。
【０１７３】
これにより、端末装置１間で効率的にＤ２Ｄを行うことができる。また、基地局装置３は、セルラリンクを用いて、端末装置１間のＤ２Ｄを効率的に制御することができる。
【０１７４】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１７５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１７６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１７７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１７８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１７９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０１８０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１８１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１８２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１８３】
本発明は、端末装置、基地局装置を含む通信装置その他の電子機器の分野で利用が可能である。
【符号の説明】
【０１８４】
１（１Ａ、１Ｂ、１Ｃ）    端末装置
３    基地局装置
１０１    上位層処理部
１０３    制御部
１０５    受信部
１０７    送信部
１０９    送受信アンテナ部
３０１    上位層処理部
３０３    制御部
３０５    受信部
３０７    送信部
３０９    送受信アンテナ部
１０１１    無線リソース制御部
１０１３    スケジューリング情報解釈部
１０１５    Ｄ２Ｄ制御部
３０１１    無線リソース制御部
３０１３    スケジューリング部
３０１５    Ｄ２Ｄ制御部
【図１】
2016021585.tif 000003
【図２】
2016021585.tif 000004
【図３】
2016021585.tif 000005
【図４】
2016021585.tif 000006
【図５】
2016021585.tif 000007
【図６】
2016021585.tif 000008
【図７】
2016021585.tif 000009
【図８】
2016021585.tif 000010
【国際調査報告】
2016021585.tif 000011
2016021585.tif 000012